(57)【要約】【課題】  窓ガラスに対する結露防止パネルの取り付け、取り外しが誰にでも簡易にできるようにすること。【解決手段】  断面コ字型挿入部14を有し、かつ窓ガラス21との接着面部11が肉厚とされた軟質樹脂製帯状のコーナー部材10が窓ガラス21の内側（内気側）の二辺周縁にそのコ字型挿入部14を内側に向けてＬ形に接着され、一方、透明性に優れたポリカーボネイト材からなる結露防止パネル1の二辺周縁1ａには、それぞれ前記コーナー部材10がそのコ字型挿入部14を介して密接に、かつＬ形に取り付けられ、次いで、前記結露防止パネル1における前記コーナー部材10の取り付けられていない二辺周縁が、前記窓ガラス21にＬ形に取り付けられたコーナー部材10のコ字型挿入部14に挿入密接されるとともに、Ｌ形のコーナー部材10が前記窓ガラス21の二辺周縁に接着されて取り付けられる。【選択図】    図2
2005139697.tif 000002
【特許請求の範囲】
【請求項１】
窓ガラスの内側（内気側）との間に空間部を有して結露防止パネルが密閉状態に取り付けられる構造であって、
断面コ字型挿入部を有し、かつ窓ガラスとの接着面部が肉厚とされた帯状のコーナー部材が軟質樹脂材により一体成形され、該コーナー部材が窓ガラスの内側（内気側）の二辺周縁にそのコ字型挿入部を内側に向けてＬ形に接着され、
一方、透明性に優れたポリカーボネイト材からなる結露防止パネルの二辺周縁には、それぞれ前記コーナー部材がそのコ字型挿入部を介して密接に、かつＬ形に取り付けられ、
次いで、前記結露防止パネルにおける前記コーナー部材の取り付けられていない二辺周縁が、前記窓ガラスにＬ形に取り付けられたコーナー部材のコ字型挿入部に挿入密接されるとともに、Ｌ形のコーナー部材が前記窓ガラスの二辺周縁に接着されて結露防止パネルが取り付けられる構成を特徴とする窓ガラスに対する結露防止パネルの取付構造。
【請求項２】
前記コーナー部材における前記窓ガラスとの接着肉厚面部と対向する面部がやや下向き傾斜状に形成されて、前記結露防止パネルの周縁が圧接されるようになっている請求項1の窓ガラスに対する結露防止パネルの取付構造。
【発明の詳細な説明】
【技術分野】
【０００１】
本発明は、窓ガラスの内側（内気側）に対する結露防止パネルの取付構造に関するものである。
【背景技術】
【０００２】
従来、窓ガラスの結露を防止するための結露防止パネルの窓ガラスへの取り付けは、結露防止パネルの四辺周縁を両面粘着テープにより粘着して取り付けているのが一般的である。
【０００３】
ところで、両面粘着テープの一例としては、伸長するゴム製基材の両面に粘着剤層とポリエステル等の樹脂材からなるメッシュ状剥離補助部材が積層加工されてなるテープが用いられ、一方の粘着剤層がメッシュ状剥離補助部材を介して結露防止パネルの周縁（四辺）に粘着され、他方の粘着剤層がメッシュ状剥離補助部材を介して窓ガラスの内側（内気側）に粘着されて取り付けられる。
【０００４】
しかし、この両面粘着テープによる取り付けは、結露防止パネルの四辺に両面粘着テープを粘着させた状態でこの結露防止パネルを窓ガラスに粘着させなければならないためにその位置決めが難しくて、その取付作業が容易でなく、誰にでも簡単に取り付け、取り外しができるというものではなかった。
【特許文献１】特願2003−138025
【発明の開示】
【発明が解決しようとする課題】
【０００５】
本発明が解決しようとする問題点は、窓ガラスに対する結露防止パネルの取り付け、取り外しが誰にでも、かつ簡易にできないという点である。
【０００６】
したがって、本発明の目的は、窓ガラスに対する結露防止パネルの取り付け、取り外しが誰にでも、かつ簡易にできるようにしたものである。
【課題を解決するための手段】
【０００７】
この目的のため、本発明の請求項1に記載の窓ガラスに対する結露防止パネルの取付構造は、窓ガラスの内側（内気側）との間に空間部を有して結露防止パネルが密閉状態に取り付けられる構造であって、断面コ字型挿入部を有し、かつ窓ガラスとの接着面部が肉厚とされた帯状のコーナー部材が軟質樹脂材により一体成形され、該コーナー部材が窓ガラスの内側（内気側）の二辺周縁にそのコ字型挿入部を内側に向けてＬ形に接着され、一方、透明性に優れたポリカーボネイト材からなる結露防止パネルの二辺周縁には、それぞれ前記コーナー部材がそのコ字型挿入部を介して密接に、かつＬ形に取り付けられ、次いで、前記結露防止パネルにおける前記コーナー部材の取り付けられていない二辺周縁が、前記窓ガラスにＬ形に取り付けられたコーナー部材のコ字型挿入部に挿入密接されるとともに、Ｌ形のコーナー部材が前記窓ガラスの二辺周縁に接着されて結露防止パネルが取り付けられる構成を特徴とするものである。
【０００８】
本発明の請求項2に記載の窓ガラスに対する結露防止パネルの取付構造は、前記コーナー部材における前記窓ガラスとの接着肉厚面部と対向する面部がやや下向き傾斜状に形成されて、前記結露防止パネルの周縁が圧接されるようになっている構成を特徴とするものである。
【発明の効果】
【０００９】
本発明に係る窓ガラスに対する結露防止パネルの取付構造によれば、軟質樹脂材により一体成形されたコーナー部材が窓ガラスの内側（内気側）の二辺周縁にそのコ字型挿入部を内側に向けてＬ形に接着され、一方、透明性に優れたポリカーボネイト材からなる結露防止パネルの二辺周縁には、それぞれコーナー部材がそのコ字型挿入部を介して密接に、かつＬ形に取り付けられるものであるから、コーナー部材の位置きめが誰にでも簡単にでき、次いで、結露防止パネルにおけるコーナー部材の取り付けられていない二辺周縁が、窓ガラスにＬ形に取り付けられたコーナー部材のコ字型挿入部に挿入されて接着されれば、結露防止パネルは取り付けられることになるから、誰にでも容易、かつ簡単に取り付けすることができる。
【００１０】
又、本発明に係る窓ガラスに対する結露防止パネルの取付構造によれば、コーナー部材における窓ガラスとの接着面部が肉厚とされているから、窓ガラスと結露防止パネルとの間に十分な空間部が形成され、この空間部内の動かない空気層により外気は遮断されて室内に伝わらず、結露防止効果が向上する。
【００１１】
又、本発明に係る窓ガラスに対する結露防止パネルの取付構造によれば、コーナー部材における窓ガラスとの接着肉厚面部と対向する面部がやや下向き傾斜状に形成されているから、結露防止パネルの周縁はこの下向き傾斜状面部によって圧接され、結露防止パネルの四辺周囲は完全に密閉されて取り付けられ、空間部内の空気は不動であって外気は完全に遮断される。
【発明を実施するための最良の形態】
【００１２】
以下に図面を参照して、本願に係る発明を実施するための最良の形態についてその作用と共に説明する。
【００１３】
図１は、一部を省略して示すコーナー部材の平面図、図2は、図1の2−2線に沿った断面図、図3は、コーナー部材の他例を示す断面図、図4は、窓ガラスに対する結露防止パネルの取り付け手順を示す平面的説明図、図5は、結露防止パネルの取り付け完成状態を示す平面図である。
【００１４】
結露防止パネル1を取り付け保持するコーナー部材10は、窓枠20を有する窓ガラス21の内側（内気側）いっぱいに両面接着テープ22を介して接着される接着面部11と、該面部11と対向する対向面部12及びこれら面部11、12に連なる連設面部13により形成された断面コ字型挿入部14を有し、該コーナー部材10は、軟質ゴム等の軟質樹脂材による長尺の一体成形品として得られ、取付時には所定の長さに切断して用いられる。
【００１５】
コーナー部材10における接着面部11の肉厚Ｄは対向面部12の肉厚ｄよりも厚く形成され、これにより結露防止パネル1と窓ガラス21の接着面との間の空間部23が十分に保持されるようになっている。
【００１６】
なお、コーナー部材1における接着面部11から対向面部12までの全体の高さＨは、窓の開閉に支障を起こさない高さに設定されている。
【００１７】
又、コーナー部材1の色は、室内の雰囲気を損なわないようにするため、黒色系は避け、白色又はベージュ色が好ましい。
【００１８】
コーナー部材1は軟質ゴム等の軟質樹脂製であるから、コ字型挿入部14に挿入される結露防止パネル1は密接状態で挿入されるが、更にこの密接状態を確実、良好とするため、対向面部は図3に示されているように、やや下向き傾斜状対向面部12ａとされ、この面部12ａの先端部内面と結露防止パネル1が圧接密着するようになっている。
【００１９】
結露防止パネル1は透明性、耐候性、耐熱性に優れたポカーボネート材からなり、特に図示しないが、相対向するパネル面部間が多数の仕切部を介して一定方向に等間隔で中空部が形成され、かつ各中空部の両端開口部が熱シール等により密閉され、各中空部内の空気が動かないようにされている。
【００２０】
次に、結露防止パネル1の取り付け手順について説明する。
【００２１】
図4に示されているように、先ず、窓枠20の二辺の幅いぱいに沿って窓ガラス21の内側(内気側)にコーナー部材10が、そのコ字型挿入部14を内側に向け両面接着テープ22を介して接着面部22が接着されることによりＬ形に取り付けられる。
【００２２】
次いで、結露防止パネル1の二辺の周縁1ａにコーナー部材10のコ字型挿入部14が押し込まれてＬ形に取り付けられる。
【００２３】
この場合において、二辺のコーナー部材10のそれぞれの長さは、窓ガラス21に取り付けられた二辺のコーナー部材10のそれぞれよりもコーナー部材10の横幅分だけ短くなっている。
【００２４】
次いで、結露防止パネル1におけるコーナー部材10の取り付けられていないＬ形二辺の周縁1ａが窓ガラス21に接着にＬ形二辺のコーナー部材10のコ字型挿入部14に挿入されて密着され、同時に両面接着テープ22を介して窓ガラス21に接着され、図5に示された状態に取り付けられる。
【図面の簡単な説明】
【００２５】
【図１】本発明に係る窓ガラスに対する結露防止パネルの取付構造において用いられるコーナー部材の一部省略の平面図である。
【図２】図1の2−2線に沿った断面図である。
【図３】コーナー部材の他例を示す断面図である。
【図４】結露防止パネルの取り付け手順を示す平面的説明図である。
【図５】結露防止パネルの取り付け完成状態を示す平面図である。
【符号の説明】
【００２６】
1    結露防止パネル
1ａ    結露防止パネルの周縁
10    コーナー部材
11    接着面部
12、12ａ    対向面部
14    コ字型挿入部
20    窓枠
21    窓ガラス
22    両面接着テープ
Ｄ    接着面部の肉厚
ｄ    対向面部の肉厚
【図１】
2005139697.tif 000003
【図２】
2005139697.tif 000004
【図３】
2005139697.tif 000005
【図４】
2005139697.tif 000006
【図５】
2005139697.tif 000007